(57)【要約】      （修正有）【課題】着座者が着座したときに背骨及び尾骨の圧接を減少することができ、長時間着座しても疲労感を大幅に低減することができる椅子を提供する。【解決手段】椅子１は、座席部２と背もたれ４を有し、背もたれには、着座者の背骨の位置に対応させて、縦長の背骨回避溝４ａが形成され、座席部には、着座者の尾骨の位置に対応させて、背もたれ側と前側の間に長方形の尾骨回避溝２ａが形成されている。背骨回避溝４ａと尾骨回避溝２ａは、背もたれと座席部の幅方向の中央部に各々形成されている。【選択図】図１
0003188287.tif 000002
【実用新案登録請求の範囲】
【請求項１】
座席部と背もたれを有する椅子であって、
前記背もたれには、着座者の背骨の位置に対応させて、縦長の背骨回避溝が形成され、
前記座席部には、着座者の尾骨の位置に対応させて、前記背もたれ側と前側の間に長方形の尾骨回避溝が形成され、
前記背骨回避溝と尾骨回避溝は、前記背もたれと前記座席部の幅方向の中央部に各々形成されている椅子。
【請求項２】
前記背骨回避溝は、前記背もたれの上端に達しないように高さ方向の寸法よりも短く形成され、前記尾骨回避溝は、前記座席部の前端に達しないように前後方向の寸法よりも短く形成された請求項１に記載の椅子。
【考案の詳細な説明】
【技術分野】
【０００１】  本考案は、座席部と背もたれを有する椅子に関し、詳しくは、座席部と背もたれに着座者の背骨及び坐骨の圧接を回避する溝を形成した椅子に関する。
【背景技術】
【０００２】  椅子は、座部に着座者が着座した際に、座り心地が良いこと、長時間着座しても疲労感や痛み感が生じないことが求められ、従前より種々の改善が行われている。椅子の背もたれに関して、特許第３４３８０７８号公報（特許文献１）には、車の座席の背もたれ部に設置される矯正用背もたれ板であり、背もたれ板に中央縦溝を形成して、運転者の脊椎を矯正用背もたれ板にあたることがないようにして、脊椎を立った状態に近いまっすぐな状態に維持することにより、脊椎を矯正することが開示されている。また、実開昭６０−２５３１号公報（特許文献２）には、クッションの中央に縦方向の溝条を形成し、この溝条に押圧隆条を埋め込み、押圧隆条に脊椎を押圧して矯正することが記載されている。
【先行技術文献】
【特許文献】
【０００３】
【特許文献１】特許第３４３８０７８号公報
【特許文献２】実開昭６０−２５３１号公報
【考案の概要】
【考案が解決しようとする課題】
【０００４】  上記特許文献１及び２は、背もたれやクッションに形成された縦溝によって背骨を矯正するものである。このため、背もたれに背中をあずけたとき、突出した背骨を縦溝に当接させることになり、その当接面圧が、背中の他の部位が当る部分の当接面圧より高くなることから、圧接する背骨を中心に不快感や痛さが生ずるため、結局、良好な座り心地が得られず、長時間着座した場合に、疲労感や痛み感が生ずるという問題がある。また、椅子に着座した場合には、背もたれに背骨が当接する一方、特に浅く腰掛けたときには尾骨が座席部に当接して、やはり疲労感や痛み感が生ずる問題もあるが、上記特許文献１及び２に開示された背もたれやクッションには、この問題に対して考慮されていない。【０００５】  本考案が解決しようとする課題は、着座者が着座したときに背骨及び尾骨の圧接を減少することができ、長時間着座しても疲労感を大幅に低減することができる椅子を提供することにある。
【課題を解決するための手段】
【０００６】  そこで、本考案による椅子は、座席部と背もたれを有する椅子であって、前記背もたれには、着座者の背骨の位置に対応させて、縦長の背骨回避溝が形成され、前記座席部には、着座者の尾骨の位置に対応させて、前記背もたれ側と前側の間に長方形の尾骨回避溝が形成され、前記背骨回避溝と尾骨回避溝は、前記背もたれと前記座席部の幅方向の中央部に各々形成されている。【０００７】  また、背骨回避溝は、前記背もたれの上端に達しないように高さ方向の寸法よりも短く形成され、前記尾骨回避溝は、前記座席部の前端に達しないように前後方向の寸法よりも短く形成されている。
【考案の効果】
【０００８】  本考案による椅子は、背もたれに着座者の背骨の位置に対応させて縦長の背骨回避溝を形成しているので、着座者が着座したときに背骨が背骨回避溝に入り込むことから、背骨に対する圧接が回避され、疲労感や痛み感を大幅に減少させることができる。さらに、座席部に着座者の尾骨の位置に対応させて長方形の尾骨回避溝を形成しているので、尾骨に対する圧接が回避され、やはり疲労感や痛み感を大幅に減少させることができる。このように、椅子に着座したときに突出して圧接される背骨と尾骨の圧接を回避できるので、特に痛み感を大幅に減少するので、長時間快適に着座することが可能となる。【０００９】  また、背骨回避溝を背もたれの上端に達しない寸法に短く形成し、尾骨回避溝を座席部の前端に達しない寸法に短く形成することにより、背もたれや座席部が背骨回避溝や尾骨回避溝によって分断することなく、他の個所が連結しているので、椅子の強度が確保できることから、耐久性を損なうことが防止される。
【図面の簡単な説明】
【００１０】
【図１】  本発明に関わる椅子の実施例を示す斜視図である。
【図２】  図１に示す椅子の平面図である。
【図３】  椅子に着座者が着座した状態を示す側面図である。
【図４】  椅子に着座者が着座した状態を示す上面図である。
【図５】  椅子に着座者が浅く着座した状態を示す側面図である。
【考案を実施するための形態】
【００１１】  本考案による椅子は、座席部と背もたれを有し、前記背もたれには、着座者の背骨の位置に対応させて、縦長の背骨回避溝が形成され、前記座席部には、着座者の尾骨の位置に対応させて、前記背もたれ側と前側の間に長方形の尾骨回避溝が形成されている。前記背骨回避溝と尾骨回避溝は、前記背もたれと前記座席部の幅方向の中央部に各々形成されている。
【００１２】  以下、図面に基づいて本考案の実施例を詳細に説明する。図１、図２に示す椅子１は、座席部２と、この座席部２を支持する４本の脚部３と、座席部２の後方端から立設された背もたれ４と、肘掛け５とを有している。座席部２は略四角形に形成され、上面には、内部にウレタンフォームやウレタンチップなどのクッション材を収納し、表面に布やレザー或いは樹脂シート等の上張で被覆されたクッション構造としている。また、背もたれ４も座席部２と同様のクッション構造としている。
【００１３】  そして、背もたれ４の横幅方向の中央には、上下方向に延びる縦長の背骨回避溝４ａが形成されている。この背骨回避溝４ａは、着座者６の背骨に対応する位置に形成され、幅は背骨の幅よりも広くしている。また、背骨回避溝４ａは、上部が背もたれ４の上端に達しない寸法に短く形成され、これにより、背もたれ４の上端側が連通することから、背骨回避溝４ａによって背もたれ４を分断させることなく、椅子としての強度を確保して耐久性を保持させている。このような背骨回避溝４ａの下部は、座席部２の後部まで達している。なお、図１、図２に示す背骨回避溝４ａは、クッションを貫通するように形成し、背もたれ４の裏板（図示しない）によって裏面側を閉塞させて溝条に形成しているが、クッション自体に溝を形成して背骨回避溝４ａとしても良い。
【００１４】  一方、座席部２の横幅方向の中央には、背もたれ４側と前側の間に長方形の尾骨回避溝２ａが形成されている。この尾骨回避溝２ａは、着座者６の尾骨に対応する位置に形成され、幅は尾骨の幅よりも広くしている。また、尾骨回避溝２ａは、前部が座席部２の前端に達しない寸法に短く形成され、背もたれ４と同様に、前端側が連通することから、尾骨回避溝２ａによって座席部２を分断させることなく、椅子としての強度を確保して耐久性を保持させている。なお、図１、図２に示す尾骨回避溝２ａは、クッションを貫通するように形成し、図３、図５に示すように、座席部２の底板２ｂに形成した透孔２ｃに一致させている。クッション自体が比較的硬質の場合には、着座者６の尾骨６ｂが底板２ｂに達しないので、透孔２ｃを設けなくても良い。
【００１５】  次に、図３乃至図５により、本考案による椅子１の作用について説明する。図３に示すように、着座者６が椅子１の座席部２に深く腰掛けて、足と胴との角度θ１がほぼ直角の状態では、着座者６の背が背もたれ４の上下に当接する。このとき、背もたれ４の横幅方向の中央に、上下方向に延びる縦長の背骨回避溝４ａが形成され、この背骨回避溝４ａが着座者６の背骨に対応する位置に形成されているので、図４に示すように、着座者６の背骨６ａが背骨回避溝４ａに入り込み、背骨６ａに対する圧接が回避される。これにより、疲労感や痛み感を減少させることができる。
【００１６】  また、同様に着座者６が椅子１の座席部２に深く腰掛けたときには、座席部２の横幅方向の中央に形成されている長方形の尾骨回避溝２ａに、着座者６の尾骨６ｂが入り込み、尾骨６ｂに対する圧接が回避される。これによっても疲労感や痛み感を減少させることができる。
【００１７】  一方、着座者６が椅子１の座席部２に浅く腰掛けて、足と胴との角度θ２が大きくなった状態では、着座者６の背骨６ａの位置が低くなるとともに、尾骨６ｂが座席部２の前側に寸法Ｌだけ移動する。この状態であっても、尾骨回避溝２ａが背もたれ４側と前側の間に形成されているので、尾骨６ｂは、尾骨回避溝２ａに入り込み、尾骨６ｂに対する圧接を回避することができる。
【００１８】  以上、本発明を実施例に基づき具体的に説明したが、本発明は上記実施例に限定されるものではなく、その要旨を逸脱しない範囲で種々変形可能であることは言うまでもない。前述した実施例において、背もたれ及び座席部は、四角形以外に、円形や楕円形、或いは多角形にしても良い。また、背もたれ及び座席部に形成した背骨回避溝或いは尾骨回避溝には、柔軟性を有する椅子用の上張で被覆しても良い。
【符号の説明】
【００１９】１      椅子
２      座席部
２ａ    尾骨回避溝
４      背もたれ
４ａ    背骨回避溝
６      着座者
６ａ    背骨
６ｂ    尾骨
【図１】
0003188287.tif 000003
【図２】
0003188287.tif 000004
【図３】
0003188287.tif 000005
【図４】
0003188287.tif 000006
【図５】
0003188287.tif 000007